(57)【要約】【課題】従来の昇降ゲート式取水装置では、昇降ゲートが取水口全開状態と取水口全閉状態の２位置でしか位置保持されないので、水位の高さによって取水口から流出する水量が変化し、又昇降ゲートの閉状態を解除するのに人が設置現場に出向く必要がある。【解決手段】貯水槽１３の側壁１４に設けた取水口１５を昇降ゲート２で開閉し得るようにした昇降ゲート式取水装置において、昇降ゲート２として水位の変動に対応して浮力により上下動する浮動ゲートを使用し、該浮動ゲート２の上半部中央位置に水の越流用の凹所２２を設ける一方、浮動ゲート２の浮力を凹所２２の越流面２３が水面より所定水深位置に維持されるように設定していることにより、貯水槽１３内の水位が変動してもほぼ一定水量づつ取水でき、且つ取水口１５の開閉を無電力で且つ無人で行えるようにした。【選択図】　　　図４
2004084319.tif 000002
【特許請求の範囲】
【請求項１】
水源（１）から分水させた水を一時的に貯留する貯水槽（１３）の側壁（１４）に取水口（１５）を設け、該取水口（１５）を昇降ゲート（２）で開閉し得るようにした昇降ゲート式取水装置であって、
前記昇降ゲート（２）として、水位の変動に対応して浮力により上下動する浮動ゲートを使用し、
該浮動ゲート（２）の上半部中央位置に水の越流用凹所（２２）を設け、
前記浮動ゲート（２）の浮力を、前記越流用凹所（２２）の越流面（２３）が水面より所定水深位置に維持されるように設定しているとともに、
前記貯水槽（１３）内の水位が所定の高水位に達すると、浮動ゲート（２）が取水口（１５）を全閉する位置で位置保持されるようにしている、
ことを特徴とする昇降ゲート式取水装置。
【請求項２】
請求項１において、浮動ゲート（２）を昇降自在にガイドするガイド装置（３）を水面より上方位置に設置していることを特徴とする昇降ゲート式取水装置。
【発明の詳細な説明】
【０００１】
【発明の属する技術分野】
本願発明は、水源から分水させた水を所定量づつ取水するための昇降ゲート式取水装置に関し、さらに詳しくは、例えば水力発電所の設備に取水する場合のように水源が山間部の渓流で電源がない場所であっても、取水量を自動で調整及び制限し得るようにした昇降ゲート式取水装置に関するものである。
【０００２】
【従来の技術】
水力発電所の設備に取水する場合は、山間部の渓流水を利用していた。そして、この場合の取水方法の一例として、従来から図８に示すような昇降ゲート式取水装置を採用したものがある。
【０００３】
図８に示す従来例の昇降ゲート式取水装置は、図７に示すように、渓流１を流れる渓流水Ｗ０からの分流水Ｗ１を一時的に貯留する貯水槽１３の側壁１４の内面に設けている。尚、図７において、渓流１には堰堤１１を設け、その上流側近傍に分水路１２を接続させるとともに、分水路１２の下流側に貯水槽１３を設けている。貯水槽１３の近傍には、側壁１４を隔てて取水路１６を設ける一方、側壁の一部（昇降ゲート設置部分の対向側）に許容限界水位Ｌ０（図８）以上の水をオーバーフロー（符号Ｗ４）させるオーバーフロー堰１７を設けている。貯水槽１３と取水路１６間の側壁１４には、所定開口面積の取水口１５が形成されている。この取水口１５の開口面積は、時間当たりの最大取水量を基にして設計されている。尚、取水路１６は、取水口１５から取出した利用水Ｗ２を必要とする発電所設備まで案内するものである。
【０００４】
ところで、大量降雨時には渓流１に泥水が流入し、分水路１２から貯水槽１３内に流入する分流水Ｗ１も多量の泥混じりになっており、そのような泥水を発電所設備の利用水として取水路１６側に取水するのは好ましくない。又、この場合（大量降雨時）、渓流１の貯水部の水嵩が増えることにより、貯水槽１３内にも大量の水が流入して、該貯水槽１３内の水位が順次高くなる。そして、貯水槽１３の水位が高くなるほど、取水口１５からの時間当たりの流出水量が多くなるが、この種の取水設備を設置する際には、渓流１からの時間当たりの最大取水量を予め設定していることが多い（例えば水利権者との契約で時間当たりの取水量が制限されていることが多い）。従って、貯水槽１３内の水位が許容高さ（図８の場合では符号Ｌ１の高さ）に達した時点で、取水口１５を閉塞する必要がある。例えば、最大取水量が０．１ｍ３／ｓに制限されている場合において、例えば取水口１５の開口幅が０．６ｍ、取水口１５を通過する水の流速が１．５ｍ／ｓの場合では、貯水槽１３内の取水許容最大水位Ｌ１は、取水口１５の底面高さ（符号Ｌ２の高さ）から約０．１１ｍまでとなる。
【０００５】
このような背景から、図８に示す従来の昇降ゲート式取水装置では、貯水槽１３の側壁１４内面に取水口１５を開閉する昇降ゲート２Ａを設ける一方、該昇降ゲート２Ａを閉方向（上動側）に作動させる重力式操作装置を備えている。重力式操作装置は、オーバーフロー堰１７の外面に、該オーバーフロー堰１７からオーバーフローする水Ｗ３を受入れる容器５１を配置するとともに、該容器５１と昇降ゲート２Ａとを滑車５２，５３を介してワイヤー５４で連結して構成している。容器５１内に流入させるオーバーフロー水Ｗ３は、貯水槽１３内の水位が限界水位Ｌ０よりやや低い所定高水位Ｌ１に達したときにオーバーフロー堰１７の頂部に形成した切欠部１７ａから流出するようになっている。
【０００６】
そして、図８に示す従来の昇降ゲート式取水装置は、次のように作動する。容器５１内が空の状態では、昇降ゲート２Ａの重量が容器５１側の重量より重くて、その重量バランスによって昇降ゲート２Ａが取水口１５を完全に開放する下動位置において位置保持されている。そして、貯水槽１３内の水位が取水口１５の底面高さ（符号Ｌ２）を越えると、該貯水槽１３内の水が符号Ｗ２で示すように順次取水口１５を通って取水路１６側に流出する。取水口１５からの流出水Ｗ２の水量は、貯水槽１３内の水位の高さによって変化し、該水位が高くなるほど多くなる。そして、大量降雨時のように、貯水槽１３内に流入する水量が多くなって、限界水位Ｌ０よりやや低い所定高水位Ｌ１に達すると、オーバーフロー堰１７の切欠部１７ａからのオーバーフロー水Ｗ３が容器５１内に流入し、該容器５１側の重量が昇降ゲート２Ａの重量より重くなる。すると、その重量バランスの逆転により、容器側が鎖線図示（符号５１′）するように下動する一方で昇降ゲートが鎖線図示（符号２Ａ′）するように上動して、取水口１５が昇降ゲート２Ａ′で完全に閉塞されるようになる。尚、取水口１５が閉塞された後も、渓流１側から貯水槽１３内に分流水Ｗ１が流入し、該貯水槽１３内の水位がオーバーフロー堰１７の頂部を超える高さ（符号Ｌ０の水位以上）になると、その超過水量はオーバーフロー堰１７の頂部から符号Ｗ４で示すようにオーバーフローする。
【０００７】
【発明が解決しようとする課題】
ところが、上記した図８の昇降ゲート式取水装置では、次のような問題があった。
【０００８】
（１）　昇降ゲート２Ａが取水口１５を全開する状態と全閉する状態との２位置でしか位置保持されないので、取水口１５の開放状態において、貯水槽１３内の水位が取水口１５の底面高さ（符号Ｌ２の水位）からオーバーフロー堰１７の切欠部１７ａに達する高さ（符号Ｌ１の水位）までは、水位の高さによって取水口１５から流出する水量が変動する。
【０００９】
（２）　このように取水時に取水口１５が全開したままのものでは、上記のように許容取水量（ｍ３／ｓ）の制限によって、取水可能な水位範囲（図８の例では水位Ｌ２から水位Ｌ１の範囲）が狭くなる。即ち、降雨量が少し多くなる程度で貯水槽１３の水位が取水限界水位Ｌ１に達してしまい、すると容器５１内にオーバーフロー水Ｗ３が入って昇降ゲート２Ａが閉動作（全閉）してしまうので、狭い水位範囲でしか取水できない。
【００１０】
（３）　容器５１内にオーバーフロー水Ｗ３が入って昇降ゲート２Ａが閉動作すると、その後に貯水槽１３内の水位が低下しても、取水口１５が全閉状態のまま維持されるので、取水を再開させるのに人が設置現場に出向いて容器５１内の水を排出する作業を行う必要があるとともに、その容器５１内の水の排出作業を行うまでは取水口１５からの取水が不能となる。
【００１１】
（４）　昇降ゲート２Ａの閉動作を別の重力式操作装置（容器５１、滑車５２，５３、ワイヤー５４等）で行わせるようにしているので、該手段の設置範囲が広くなるとともに該装置の構造が複雑となる。
【００１２】
そこで、本願発明は、上記した従来の昇降ゲート式取水装置の各問題点を改善することを目的としてなされたものである。
【００１３】
【課題を解決するための手段】
本願発明は、上記課題を解決するための手段として次の構成を有している。
【００１４】
本願請求項１の発明
本願請求項１の発明は、水源から分水させた水を一時的に貯留する貯水槽の側壁に取水口を設け、該取水口を昇降ゲートで開閉し得るようにした昇降ゲート式取水装置を対象にしている。尚、取水口は、一般に横長の矩形形状で、貯水槽の側壁を貫通する横穴状に形成されている。
【００１５】
この請求項１の昇降ゲート式取水装置では、昇降ゲートとして水位の変動に対応して浮力により上下動する浮動ゲートを使用している。この浮動ゲートは、内部空所を密閉した鋼板製のタンク（浮体）を採用できる。この浮動ゲートは、ガイド装置によってガイドされて浮動ゲート後面が取水口の口縁部に摺接する状態で上下動するようになっている。尚、取水口の口縁部及び浮動ゲートの後面には、通常、水密用のパッキンが設けられる。
【００１６】
浮動ゲートの上半部中央位置には、水の越流用凹所を設けている。この越流用凹所は、貯水槽の取水口に対応する位置に設けられている。この越流用凹所の底面は、取水口側への越流面となるものである。浮動ゲートの後面における越流面より下方部分は、取水口を閉塞し得る蓋面となる。
【００１７】
又、この昇降ゲート式取水装置では、浮動ゲートの浮力を、越流用凹所の越流面が水面より所定水深位置に維持されるように設定している。この越流面の水深は、越流用凹所の幅とともに時間当たりの取水量を決める要素となるものであるが、ウエイト調整することで浮動ゲートの浮力を調整して、該越流面を所望水深に設定することができる。
【００１８】
そして、この昇降ゲート式取水装置では、貯水槽内の水位が上昇して所定の高水位（許容限界水位）に達すると、浮動ゲートが取水口を全閉する位置で位置保持されるようにしている。尚、浮動ゲートの全閉位置での位置保持は、該浮動ゲートのそれ以上の上動を禁止するストッパーで行える。
【００１９】
本願請求項１の昇降ゲート式取水装置は、次のように機能する。即ち、貯水槽内に浮動ゲートの浮力が発生するまで水位が上昇すると、該浮動ゲートが浮力により水面に浮かぶが、そのときには越流用凹所の越流面が所定水深まで沈んでいる。この越流面の水深は、貯水槽内の水位が変動してもそれに対応して浮動ゲートが上下動するので、一定（不変）となる。従って、越流面の高さが取水口の底面と同高さ以上で該越流面が取水口の開口高さを制限するまでの範囲では、越流用凹所から取水口側に流れる水量は一定となる。
【００２０】
ところで、大量降雨時には、渓流に泥水が流入し、その泥水が貯水槽に流入するが、大量降雨時には貯水槽に流入する水量が取水口から流出する水量より多くなって貯水槽内の水位が順次上昇していく。そして、貯水槽内の水位が許容限界水位に達したときには、浮動ゲートの越流面が取水口の上縁高さまで上昇しており、越流面の下方後面部分（蓋面）で取水口の全面積を閉塞するようになる。尚、越流面の下方後面部分（蓋面）が取水口を完全閉塞した状態では、浮動ゲートがストッパーに衝合して、該浮動ゲートがそれ以上、上動しないように維持される。又、浮動ゲートが取水口を完全閉塞した後も、貯水槽内に渓流側からの水が流入することがあるが、その貯水槽内への増加水はオーバーフロー堰を越えて渓流（堰堤より下流側）に戻される。
【００２１】
他方、雨が止んで、渓流側から貯水槽側に水の流入がなくなると、貯水槽内に流入した泥水中の土砂成分が比較的短時間で沈降して、上水が自然に清水化される。又、渓流側の水位が貯水槽のオーバーフロー堰の高さより減少すると、貯水槽側の水位が低下し、浮動ゲートが自動的に降下する。そして、取水口が開放されるまで浮動ゲートが降下すると、該取水口からの取水が再開される。
【００２２】
本願請求項２の発明
本願請求項２の発明は、請求項１の昇降ゲート式取水装置において、浮動ゲートを昇降自在にガイドするガイド装置を水面より上方位置に設置している。
【００２３】
浮動ゲートのガイド装置としては、例えば浮動ゲート側に取付けたスライド棒（左右２本）を側壁側に固定したガイド筒に対して上下にスライドさせ得るようにしたものを採用できるが、その場合、スライド棒とガイド筒とのスライド部分を水面より上方位置に設置する。
【００２４】
【発明の効果】
本願請求項１の発明の効果
本願請求項１の発明の昇降ゲート式取水装置は、次のような効果がある。
【００２５】
▲１▼　昇降ゲートとして水位の変動に対応して浮力により上下動する浮動ゲートを使用し、該浮動ゲートに形成した越流用凹所の越流面が水面より所定水深位置に維持されるようにしているので、取水時において貯水槽の水位の変動に拘わらず、取水口からの取水量をほぼ一定にすることができる。
【００２６】
▲２▼　このように、貯水槽の水位に拘わらず取水口からの取水量を一定にし得ると、取水口からの取水可能高さ範囲を大きくすることができ、例えば大量降雨時でも泥水が発生しにくいような水源（渓流）からの取水では、清水の取水可能水位範囲を拡大できる。
【００２７】
▲３▼　浮力により上下動する浮動ゲートを使用しているので、取水口を閉塞した後、貯水槽の水位が減少すると浮動ゲートが自動的に降下し（取水口からの取水を再開できる）、取水口の開閉を無電力で且つ無人で自動的に行わせることができる。
【００２８】
▲４▼　浮動ゲートは、自らの浮力で上下動するので、該浮動ゲートを開閉操作するための外部手段が必要なくなり、昇降ゲート式取水装置全体をコンパクトにできる。
【００２９】
本願請求項２の発明の効果
本願請求項２の発明では、請求項１の昇降ゲート式取水装置において、浮動ゲートを昇降自在にガイドするガイド装置を水面より上方位置に設置しているので、請求項１の効果に加えて、ガイド装置部分に水中の異物（例えば落葉や木枝等）が付着したり絡んだりすることがなく（ガイド装置部分の詰まりが発生しない）、しかも何らかの原因で浮動ゲートがうまく上下動作しなくなったときに、空気中において補修することができるので、浮動ゲートのガイド部分のメンテナンスが容易となるという効果がある。
【００３０】
【発明の実施の形態】
図１〜図６を参照して本願の実施形態を説明すると、この実施形態の昇降ゲート式取水装置は、水力発電所の設備に水を供給するためのもので、水源として渓流１を利用している。
【００３１】
即ち、この実施形態の昇降ゲート式取水装置は、図１に示すように、渓流１を流れる渓流水Ｗ０からの分流水Ｗ１を一時的に貯留する貯水槽１３の側壁１４の内面に設けている。尚、図１において、渓流１には堰堤１１を設け、その上流側近傍に分水路１２を接続させるとともに、分水路１２の下流側に貯水槽１３を設けている。貯水槽１３の近傍には、側壁１４を隔てて取水路１６を設けている。
【００３２】
貯水槽１３と取水路１６間の側壁１４には、該側壁１４のほぼ中間高さ位置において横長矩形に開口する取水口１５を形成している。この取水口１５は、側壁１４を貫通して、貯水槽１３と取水路１６とを連通させている。取水口１５の開口面積は、特に限定するものではないが、実施形態では左右幅が約６０ｃｍ、上下幅が約２０ｃｍ程度の大きさを有している。尚、取水路１６は、取水口１５から取出した利用水Ｗ２を必要とする発電所設備まで案内するものである。
【００３３】
側壁１４の貯水槽１３側の側面は、若干角度（鉛直面に対して角度５°程度）だけ外側に傾斜させている。又、側壁１４の貯水槽１３側の側面には、取水口１５が対応する位置に枠体１８を取付けている。この枠体１８には、取水口１５に連通する横長矩形の開口１９が形成されている。
【００３４】
貯水槽１３における取水口１５と対面する側壁の一部には、許容限界水位Ｌ０（図４、図６）以上の水をオーバーフロー（図１の符号Ｗ４）させるオーバーフロー堰１７（図１）を設けている。
【００３５】
図２〜図６に示す実施形態の昇降ゲート式取水装置では、昇降ゲートとして水位の変動に対応して浮力により上下動する浮動ゲート２を使用している。この浮動ゲート２は、内部空所を密閉した鋼板製タンクからなる浮体２１を採用している。尚、この浮動ゲート２は、特に限定するものではないが、左右幅が１４０ｃｍ、高さが１００ｃｍ、奥行き幅が４０ｃｍ程度の大きさの箱状に形成することができる。
【００３６】
浮動ゲート２の上半部中央位置には、水の越流用凹所２２を設けている。この越流用凹所２２は、左右幅が取水口１５の左右幅と同寸法（約６０ｃｍ）で、深さが約５０ｃｍ程度の大きさを有している。越流用凹所２２の底面は、水の越流面２３となる。尚、越流用凹所２２には、その前面及び上面に跨がって格子状の異物阻止柵６が取付けられている。
【００３７】
この浮動ゲート２は、越流用凹所２２を取水口１５に対応させた位置において、左右一対のガイド装置３，３で昇降自在にガイドさせている。各ガイド装置３，３は、浮体２１の左右外側面に取付けた各スライド棒３１，３１と、側壁１４側に固定した左右２つのガイド筒３２とを有し、各スライド棒３１，３１をそれぞれガイド筒３２，３２に挿通している。尚、ガイド筒３２，３２のスライド棒挿通穴は、側壁１４に取付けている枠体１８と同じ傾斜角度で傾斜させており、浮体２１の後面が枠体１８に対して上下方向の平行に移動し得るようになっている。又、浮動ゲート２をガイド装置３，３でガイドさせた状態（やや傾斜状態）では、越流面２３が水平面となるようにしている。
【００３８】
各ガイド装置３，３は、水面より上方に設置しており、水中に浮遊する異物（例えば落葉や木枝等）がスライド部分に付着したり絡んだりするのを未然に防止し得るようにしている。又、このように、ガイド装置３，３部分を水面より上方に設置すると、もし何らかの理由でガイド装置部分に支障が生じたときに、該ガイド装置３を空気中で補修することができる。
【００３９】
枠体１８の前面には、開口１９の左右各縁部位置にそれぞれ縦長パッキン４１，４１と、該開口１９の上下各縁部位置にそれぞれ横向きパッキン４１ａ，４１ａとが連続状態で取付けられている。他方、浮体２１の後面には、越流用凹所２２の左右各縁部位置に枠体１８側の縦長パッキン４１，４１にそれぞれ摺接する左右２つの縦長パッキン４２，４２と、上記各横向きパッキン４１ａ，４１ａに合致する各横向きパッキン４２ａ，４２ａとが連続状態で取付けられている。この各側のパッキン４１，４１ａ，４２，４２ａには、メタルパッキンを使用している。そして、浮動ゲート２の昇降時には、枠体１８側の各縦長パッキン４１，４１と浮体２１側の各縦長パッキン４２，４２とが摺接するようになっており、又、浮動ゲート２が取水口１５を閉塞する位置まで上動したとき（図６の状態）には、浮体２１側の上下各横向きパッキン４２ａ，４２ａが枠体１８側の上下各横向きパッキン４１ａ，４１ａに衝合して、該開口１９を水密的に閉塞し得るようになっている。尚、各側のパッキンは、適度の接触圧を持たせ、水流・波動・水位変動等による浮体２１のビビリやバタつきを防止し得るようにしている。
【００４０】
浮動ゲート２の浮力は、水中に浮かばせた状態で、越流用凹所２２の越流面２３が水面より所定水深位置に維持されるように設定している。この越流面２３の水深Ｍ（図４、図６）は、越流用凹所２２の幅とともに時間当たりの取水量を決める要素となるものであるが、ウエイト調整することで浮動ゲート２（浮体２１）の浮力を調整して、該越流面２３を所望水深に設定することができる。尚、図示の実施形態では、越流面２３の水深Ｍを１０ｃｍ程度に設定している。
【００４１】
側壁１４の側面に取付けている枠体１８の下端部には、浮動ゲート２を所定の下動位置において下方から支持する受台３４，３４が設けられている。この受台３４，３４は、この実施形態では、図４に示すように越流用凹所２２の越流面２３が取水口１５（枠体開口１９）の下縁と同高さになる位置において浮体２１の下面を受け得るように位置決めしている。
【００４２】
枠体１８の上部寄り位置には、浮動ゲート２の上動位置を規制するストッパー３５，３５が設けられている。この各ストッパー３５，３５は、図６に示すように、浮動ゲート２が閉位置（開口１９の周囲が浮体２１側のパッキンで閉塞される位置）まで上動したときに、浮体２１の上面を当接させて、浮動ゲート２がそれ以上、上動しないように規制するものである。
【００４３】
貯水槽１３内における浮動ゲート２の水流入側の側部には、流入水が浮動ゲート２に直接衝突するのを防止するための整流板７が設けられている。
【００４４】
この実施形態の昇降ゲート式取水装置は、次のように機能する。まず、貯水槽１３内の水位が図４の符号Ｌ３以下であるときには、浮動ゲート２が自重により受台３４上に着座し、そのとき越流面２３が取水口１５（枠体開口１９）の下縁と同高さとなって取水口１５（枠体開口１９）を全開状態に維持している。従って、貯水槽１３内の水位が越流面２３を超えると、その超過水位分が越流面２３、枠体開口１９、取水口１５を通って取水路１６側に流出する。
【００４５】
又、大量降雨等によって渓流水が増水すると、その一部の水が貯水槽１３側に流入して、該貯水槽１３内の水位が上昇する。そして、貯水槽１３内に浮動ゲート２の浮力が発生するまで水位が上昇する（水位が図４のＬ３を超える）と、浮動ゲート２が浮力により水面に浮かぶが、浮動ゲート２が浮上状態では越流面２３は常に一定（不変）水深Ｍを維持するようになる。従って、越流面２３の高さが取水口１５（枠体開口１９）の下縁と同高さ以上で該越流面２３が取水口１５の開口高さを制限するまでの範囲では、越流用凹所２２から取水口１５側に流れる水量は一定となる。
【００４６】
ところで、大量降雨時には、渓流側から貯水槽１３に流入する水量が取水口１５から流出する水量より多くなって貯水槽１３内の水位が順次上昇していき、それに連れて浮動ゲート２も自己の浮力により上動する。尚、大量降雨時には、渓流に泥水が流入し、その泥水が貯水槽１３内にも流入する。そして、貯水槽１３内の水位が許容限界水位（図６の符号Ｌ０）に達したときには、図６に示すように浮動ゲート２の越流面２３が取水口１５（枠体開口１９）の上縁高さまで上昇しており、浮体２１の後面部分の矩形パッキン部分（４２，４２，４２ａ，４２ａで囲われる部分）が枠体開口１９の周囲の矩形パッキン部分（４１，４１，４１ａ，４１ａ）に接合して取水口１５（枠体開口１９）の全面積を閉塞するようになる。このとき、浮動ゲート２（浮体２１）の上面がストッパー３５，３５に衝合して、該浮動ゲート２がそれ以上、上動しないように維持される。又、浮動ゲート２が取水口（枠体開口１９）を完全閉塞した後も、貯水槽１３内に渓流側からの水が流入することがあるが、その貯水槽１３内の増加水はオーバーフロー堰１７（図１）を越えて渓流（堰堤１１より下流側）に戻される。
【００４７】
そして、雨が止み、渓流側から貯水槽１３側に水の流入がなくなると、貯水槽１３内に流入した泥水中の土砂成分が比較的短時間で沈降して、上水が自然に清水化される。又、渓流側の水位が貯水槽１３のオーバーフロー堰１７の高さより減少すると、貯水槽１３側の水位が低下していき、該貯水槽１３内の水位がＬ０（図６）より低下すると、浮動ゲート２が自動的に降下する。そして、取水口１５（枠体開口１９）の上部側が開放されるまで浮動ゲート２が降下すると、該取水口１５からの取水が再開される。
【００４８】
このように、本願の昇降ゲート式取水装置では、浮動ゲート２が貯水槽１３内の水位の変動によって自動的に上下動するので、無電力で且つ無人で取水口１５の開閉を行える。又、越流面２３の水深Ｍが一定の状態で浮動ゲート２が上下動するので、通常の取水状態では貯水槽１３内の水位の変動に拘わらず、取水口１５からの取水量をほぼ一定にすることができる。さらに、貯水槽１３内の水位に拘わらず取水口１５からの取水量を一定にし得ると、取水口１５からの取水可能水位範囲を拡大することができる。又、浮動ゲート２を昇降自在にガイドするガイド装置３，３を水面より上方位置に設置すると、ガイド装置部分に水中の異物（例えば落葉や木枝等）が付着したり絡んだりすることがなく、しかも何らかの原因で浮動ゲートがうまく上下動作しなくなったときに、空気中において補修することができる。
【図面の簡単な説明】
【図１】本願実施形態の昇降ゲート式取水装置を使用した取水設備の説明図である。
【図２】本願実施形態の昇降ゲート式取水装置の正面図（図１のＩＩ−ＩＩ拡大矢視図）である。
【図３】図２の平面図である。
【図４】図２のＩＶ−ＩＶ断面図である。
【図５】本願実施形態の昇降ゲート式取水装置の分解斜視図である。
【図６】図４からの状態変化図である。
【図７】従来の昇降ゲート式取水装置を使用した取水設備の説明図である。
【図８】図７のＶＩＩＩ−ＶＩＩＩ断面図である。
【符号の説明】
１は水源（渓流）、２は浮動ゲート、３はガイド装置、１３は貯水槽、１４は側壁、１５は取水口、１６は取水路、１７はオーバーフロー堰、１８は枠体、１９は枠体開口、２１は浮体、２２は越流用凹所、２３は越流面、３１はスライド棒、３２はガイド筒である。
【図１】
2004084319.tif 000003
【図２】
2004084319.tif 000004
【図３】
2004084319.tif 000005
【図４】
2004084319.tif 000006
【図５】
2004084319.tif 000007
【図６】
2004084319.tif 000008
【図７】
2004084319.tif 000009
【図８】
2004084319.tif 000010